(57)【要約】【課題】先端ハウジングの高温を報知して作業者が先端ハウジングに直接触れることを防止する。【解決手段】ハンマドリル１において、先端ハウジング４における調整リング８の後方部分には、高温時に発色する報知手段としての示温剤が塗布されている。この示温剤は、所定温度（例えば６０℃）で赤色に変色し、温度が低下すると元に戻る可逆性で、調整リング８から後方への報知領域Ｅに、全周に亘って塗布されている。【選択図】図１
2016087753.tif 000002
【特許請求の範囲】
【請求項１】
先端工具が装着される先端ハウジングに、モータ駆動によって前記先端工具に打撃動作を付与する打撃機構を収容した打撃工具であって、
前記先端ハウジングの温度を報知する報知手段を設けたことを特徴とする打撃工具。
【請求項２】
前記報知手段は、温度に応じて変色する示温剤を前記先端ハウジングの表面に塗布するか、若しくは前記示温剤を前記先端ハウジングに含有させるかすることで構成されることを特徴とする請求項１に記載の打撃工具。
【請求項３】
前記示温剤は、温度に応じて変色態様を段階的に変化させることを特徴とする請求項２に記載の打撃工具。
【請求項４】
前記報知手段は、前記先端ハウジングの温度を検出する温度検出手段と、その温度検出手段による検出温度に応じて発光する発光手段とで構成されることを特徴とする請求項１に記載の打撃工具。
【請求項５】
前記発光手段は、温度に応じて発光態様を段階的に変化させることを特徴とする請求項４に記載の打撃工具。
【請求項６】
前記発光手段は、前記モータを制御するコントローラに設けられることを特徴とする請求項４又は５に記載の打撃工具。
【発明の詳細な説明】
【技術分野】
【０００１】
本発明は、電動ハンマやハンマドリル等の打撃工具に関する。
【背景技術】
【０００２】
電動ハンマやハンマドリル等の打撃工具は、先端工具が装着される先端ハウジングに、モータ駆動によって先端工具に打撃動作（或いは打撃＋回転動作）を付与する打撃機構を収容してなる（例えば特許文献１参照）。
【先行技術文献】
【特許文献】
【０００３】
【特許文献１】特開２０１４−１７２１４１号公報
【特許文献２】特開２００２−２１０６７８号公報
【発明の概要】
【発明が解決しようとする課題】
【０００４】
このような打撃工具においては、作動中に打撃機構が発熱し、先端ハウジングも高温となりやすい。このため、先端ハウジングを把持する作業者に不快感を与えることになる。先端ハウジングが高温であることが分かれば作業者は手袋を装着したり、先端ハウジングにカバーを装着したりすることで先端ハウジングを直接把持することが回避できるが、電動工具では特許文献２のようにモータの過負荷を検出して照明用のＬＥＤを用いて警告する技術があるにとどまり、先端ハウジングの高温報知に係る技術は用いられていない。
【０００５】
そこで、本発明は、先端ハウジングの高温を報知でき、作業者が先端ハウジングに直接触れることを防止できる打撃工具を提供することを目的としたものである。
【課題を解決するための手段】
【０００６】
上記目的を達成するために、請求項１に記載の発明は、先端工具が装着される先端ハウジングに、モータ駆動によって先端工具に打撃動作を付与する打撃機構を収容した打撃工具であって、先端ハウジングの温度を報知する報知手段を設けたことを特徴とするものである。
請求項２に記載の発明は、請求項１の構成において、報知手段は、温度に応じて変色する示温剤を先端ハウジングの表面に塗布するか、若しくは示温剤を先端ハウジングに含有させるかすることで構成されることを特徴とするものである。
請求項３に記載の発明は、請求項２の構成において、示温剤は、温度に応じて変色態様を段階的に変化させることを特徴とするものである。
請求項４に記載の発明は、請求項１の構成において、報知手段は、先端ハウジングの温度を検出する温度検出手段と、その温度検出手段による検出温度に応じて発光する発光手段とで構成されることを特徴とするものである。
請求項５に記載の発明は、請求項４の構成において、発光手段は、温度に応じて発光態様を段階的に変化させることを特徴とするものである。
請求項６に記載の発明は、請求項４又は５の構成において、発光手段は、モータを制御するコントローラに設けられることを特徴とするものである。
【発明の効果】
【０００７】
請求項１に記載の発明によれば、報知手段の採用により、先端ハウジングの高温を報知できる。よって、作業者は手袋やカバー等で高温対策を施すことができ、先端ハウジングに直接触れることを防止できる。
請求項２に記載の発明によれば、請求項１の効果に加えて、示温剤によって先端ハウジングの温度を簡単に報知可能となる。特に、示温剤を先端ハウジングに塗布すれば既存の打撃工具にも報知手段が採用可能となり、示温剤を先端ハウジングに含有させれば先端ハウジングの成形と同時に報知手段が簡単に付与可能となる。
請求項３に記載の発明によれば、請求項２の効果に加えて、変色態様の段階的な変化により、高温となるタイミングを予め知ることができ、高温対策を早い段階で行うことができる。
請求項４に記載の発明によれば、請求項１の効果に加えて、発光手段の採用により、使用場所が暗くても先端ハウジングの高温を確実に報知することができる。
請求項５に記載の発明によれば、請求項４の効果に加えて、発光態様の段階的な変化により、高温となるタイミングを予め知ることができ、高温対策を早い段階で行うことができる。
請求項６に記載の発明によれば、請求項４又は５の効果に加えて、配線が必要最小限で済み、コスト低減や省スペースに繋がる。
【図面の簡単な説明】
【０００８】
【図１】形態１のハンマドリルの全体図である。
【図２】形態２のハンマドリルの全体図である。
【発明を実施するための形態】
【０００９】
以下、本発明の実施の形態を図面に基づいて説明する。
［形態１］
図１は、打撃工具の一例であるハンマドリルの全体図で、ハンマドリル１は、モータを収容するモータハウジング２の上方に、クランク機構及び回転伝達機構を収容するギヤハウジング３を連結し、ギヤハウジング３の前方（図１の左側）に、先端工具としてのビットを装着可能なツールホルダ及び打撃機構を収容する筒状の先端ハウジング４を連結してなる。モータハウジング２及びギヤハウジング３、先端ハウジング４の後方には、後端にハンドル６を形成するハンドルハウジング５が連結されている。
【００１０】
先端ハウジング４の前端から突出するツールホルダには、ビットを着脱するためのチャック７が設けられ、チャック７の後方には、ビットの角度を調整するための調整リング８が設けられている。
一方、ハンドル６には、スイッチ９が設けられると共に、電源コード１０が接続されており、ハンドルハウジング５に設けた窓１１には、コントローラに設けられた回転数及び打撃数の調整ダイヤル１２が露出している。コントローラには、電源投入時に点灯する通電表示ＬＥＤ１３と、カーボンブラシの交換時に点灯するブラシ交換表示ＬＥＤ１４とが設けられて、それぞれ調整ダイヤル１２の上方でハンドルハウジング５の側方に露出している。
【００１１】
そして、先端ハウジング４における調整リング８の後方部分は、作業者が把持する把持部として利用されるが、この後方部分には、高温時に発色する報知手段としての示温剤が塗布されている。この示温剤は、所定温度（例えば６０℃）で赤色に変色し、温度が低下すると元に戻る可逆性で、調整リング８から後方への報知領域Ｅに、全周に亘って塗布されている。
【００１２】
以上の如く構成されたハンマドリル１においては、スイッチ９をＯＮ操作してモータを駆動させると、クランク機構を介して打撃機構が動作し、ツールホルダ前端のビットに打撃動作を付与する。このとき、ハンドルハウジング５の上面に設けたチェンジレバーの動作により、回転伝達機構からツールホルダへの回転伝達を行うクラッチの位置を切り替えることができる。すなわち、クラッチが伝達位置に切り替えられていれば、出力軸の回転がツールホルダに伝わり、ビットは打撃に加えて回転動作を行う（ハンマドリルモード）。逆にクラッチが遮断位置に切り替えられていれば、出力軸の回転はツールホルダに伝わらないため、ビットには打撃のみが伝わるハンマモードとなる。
【００１３】
このハンマドリル１の使用の際、作業者は一方の手でハンドル６を把持し、他方の手で先端ハウジング４を把持してハンマドリル１を支持することになるが、ハンマドリル１の使用に伴い、打撃機構が発熱して先端ハウジング４の温度が上昇すると、示温剤によって報知領域Ｅが赤色に変色する。よって、この変色により温度上昇を知った作業者は、先端ハウジング４をカバーで覆ったり、手袋を装着したりすることで、高温となる先端ハウジング４を直接把持することなく作業することができる。
【００１４】
このように、上記形態１のハンマドリル１によれば、先端ハウジング４の温度を報知する報知手段を設けたことで、作業者は手袋やカバー等で高温対策を施すことができ、先端ハウジング４に直接触れることを防止できる。
特にここでは、報知手段を、温度に応じて変色する示温剤を先端ハウジング４の表面に塗布することで構成しているので、先端ハウジング４の温度を簡単に報知することができ、既存のハンマドリル１に対しても報知手段が採用可能となる。
【００１５】
なお、報知領域は上記形態より大きくしても小さくしてもよい。また、示温剤を先端ハウジングの全周に亘って塗布しているが、全周に限らず、左右の側面部分等へ部分的に塗布しても差し支えない。さらに、示温剤の塗布の場合、塗布した示温剤が剥離しにくいように塗布部分を凹状に形成することも考えられる。
そして，示温剤は先端ハウジングに塗布しているが、先端ハウジングを成形する樹脂材料に予め含有させるようにしてもよい。このようにすれば先端ハウジングの成形と同時に報知手段が簡単に付与される。
一方、示温剤は、１色（１つの所定温度）のみで変色するものに限らず、温度に応じて変色態様を段階的に変化させるものとすることも可能である。このようにすれば高温となるタイミングを予め知ることができ、高温対策を早い段階で行うことができる。
【００１６】
［形態２］
次に、本発明の他の形態を説明する。但し、形態１と同じ構成部には同じ符号を付して重複する説明は省略する。
図２に示すハンマドリル１Ａにおいては、先端ハウジング４内における調整リング８の後方部分に、温度検出手段としてのサーミスタ等の温度センサ１５が設けられており、温度センサ１５からの温度検出信号が、コントローラ１６に入力されるようになっている。コントローラ１６は、温度センサ１５から得られる温度検出信号を監視して、検出温度が所定温度（例えば６０℃）に達すると、ブラシ交換表示ＬＥＤ１４の上方に設けた発光手段としての温度報知用ＬＥＤ１７を点灯させて、先端ハウジング４の高温を報知するようになっている。
【００１７】
よって、ハンマドリル１Ａの使用の際、温度報知用ＬＥＤが点灯することで先端ハウジング４の温度上昇を知った作業者は、先端ハウジング４をカバーで覆ったり、手袋を装着したりすることで、高温となる先端ハウジング４を直接把持することなく作業することができる。
【００１８】
このように、上記形態２のハンマドリル１Ａにおいても、先端ハウジング４の温度を報知する報知手段を設けたことで、作業者は手袋やカバー等で高温対策を施すことができ、先端ハウジング４に直接触れることを防止できる。
特にここでは、報知手段を、先端ハウジング４の温度を検出する温度センサ１５と、その温度センサ１５による検出温度に応じて発光する温度報知用ＬＥＤ１７とで構成しているので、使用場所が暗くても先端ハウジング４の高温を確実に報知することができる。
また、温度報知用ＬＥＤ１７は、モータを制御するコントローラ１６に設けられているので、配線が必要最小限で済み、コスト低減や省スペースに繋がる。
【００１９】
なお、この形態２においても、温度報知用ＬＥＤ１７は、所定温度での点灯に限らず、温度に応じて発光態様を段階的に変化（例えば所定温度より低い温度領域では点滅させたり、温度に応じて明るさを変化させたり等）させて、高温となるタイミングを予め報知するようにしてもよい。また、色が異なる複数の温度報知用ＬＥＤを設けて、温度上昇に応じて順番に点灯させることも考えられる。
さらに、温度報知用ＬＥＤの位置は上記形態に限らず、ハンドルの上側（把持する手に隠れない領域）や先端ハウジングの上側等に配置することも可能である。
【００２０】
そして、上記形態１，２に共通して、各形態に音による報知を併せて採用したり、形態１の示温剤と形態２の温度センサ及び温度報知用ＬＥＤとを併設したり等の設計変更も可能である。
その他、ハンマドリルの他の構造も上記形態に限らず、ギヤハウジングと先端ハウジングとを一体に形成したり、バッテリーを電源とする充電式としたり等、適宜変更可能である。勿論ハンマドリルに限らず、電動ハンマであっても本発明の適用は可能である。
【符号の説明】
【００２１】
１，１Ａ・・ハンマドリル、２・・モータハウジング、３・・ギヤハウジング、４・・先端ハウジング、５・・ハンドルハウジング、６・・ハンドル、７・・チャック、８・・調整リング、９・・スイッチ、１０・・電源コード、１２・・調整ダイヤル、１３・・通電表示ＬＥＤ、１４・・ブラシ交換表示ＬＥＤ、１５・・温度センサ、１６・・コントローラ、１７・・温度報知用ＬＥＤ、Ｅ・・報知領域。
【図１】
2016087753.tif 000003
【図２】
2016087753.tif 000004